(57)【要約】【課題】上位レイヤでの再送による遅延の発生を抑制しつつ、ＣＱＩの復調性能を維持できる無線通信装置を提供する。【解決手段】無線基地局１００は、ＡＣＫ又はＮＡＣＫ（Ａ／Ｎ）が多重された参照信号を無線端末から受信する受信部１１１と、ＡＣＫの誤検出率よりもＮＡＣＫの誤検出率が低くなるように設定された検出基準１を用いて、参照信号に多重されているＡ／Ｎを検出するＡ／Ｎ検出部１２１と、ＡＣＫの誤検出率とＮＡＣＫの誤検出率との相対関係が検出基準１とは異なるように設定された検出基準２を用いて、参照信号に多重されているＡ／Ｎを検出するＡ／Ｎ検出部１２３と、Ａ／Ｎ検出部１２１による検出結果に応じてデータの再送制御を行う送信／再送制御部１２２と、Ａ／Ｎ検出部１２３による検出結果に応じてＡ／Ｎが除去された参照信号を用いて、チャネル推定を行うチャネル推定部１２４とを備える。【選択図】図４
2011097364.tif 000002
【特許請求の範囲】
【請求項１】
無線通信相手が受信したデータの復号成功を示す肯定応答又は復号失敗を示す否定応答が多重された参照信号を前記無線通信相手から受信する無線通信装置であって、
前記肯定応答の誤検出率よりも前記否定応答の誤検出率が低くなるように設定された第１の検出基準を用いて、前記参照信号に多重されている前記肯定応答又は前記否定応答を検出する第１の検出部と、
前記肯定応答の誤検出率と前記否定応答の誤検出率との相対関係が前記第１の検出基準とは異なるように設定された第２の検出基準を用いて、前記参照信号に多重されている前記肯定応答又は前記否定応答を検出する第２の検出部と、
前記第１の検出部による検出結果に応じて、前記無線通信相手へのデータの再送制御を行う再送制御部と、
前記第２の検出部による検出結果に応じて前記肯定応答又は前記否定応答が除去された前記参照信号を用いて、前記無線通信相手との間のチャネル特性を推定するチャネル推定部と
を備える無線通信装置。
【請求項２】
前記第２の検出基準は、前記肯定応答の誤検出率と前記否定応答の誤検出率とが等しくなるように設定される請求項１に記載の無線通信装置。
【請求項３】
前記第２の検出基準において、前記肯定応答の誤検出率と前記否定応答の誤検出率との相対関係は、前記肯定応答及び前記否定応答それぞれの発生率に応じて定められる請求項１に記載の無線通信装置。
【請求項４】
前記肯定応答の発生率が前記否定応答の発生率よりも高い場合、前記第２の検出基準は、前記否定応答の誤検出率よりも前記肯定応答の誤検出率が低くなるように設定される請求項３に記載の無線通信装置。
【請求項５】
前記無線通信相手がデータの復号に失敗する確率が規定値になるように前記無線通信相手へのデータの送信を制御する送信制御部をさらに備え、
前記肯定応答及び前記否定応答それぞれの発生率は、前記規定値に応じて定められる請求項３又は４に記載の無線通信装置。
【請求項６】
無線通信相手が受信したデータの復号成功を示す肯定応答又は復号失敗を示す否定応答が多重された参照信号を前記無線通信相手から受信するステップと、
前記肯定応答の誤検出率よりも前記否定応答の誤検出率が低くなるように設定された第１の検出基準を用いて、前記参照信号に多重されている前記肯定応答又は前記否定応答を検出するステップと、
前記肯定応答の誤検出率と前記否定応答の誤検出率との相対関係が前記第１の検出基準とは異なるように設定された第２の検出基準を用いて、前記参照信号に多重されている前記肯定応答又は前記否定応答を検出するステップと、
前記第１の検出基準を用いた検出の結果に応じて、前記無線通信相手へのデータの再送制御を行うステップと、
前記第２の検出基準を用いた検出の結果に応じて前記肯定応答又は前記否定応答が除去された前記参照信号を用いて、前記無線通信相手との間のチャネル特性を推定するステップと
を備える無線通信方法。
【発明の詳細な説明】
【技術分野】
【０００１】
本発明は、無線通信相手から受信した参照信号を用いてチャネル推定を行う無線通信装置及び無線通信方法に関する。
【背景技術】
【０００２】
近年、移動体通信システムの高速・大容量化の要求に応えるため、移動体通信システムの標準化プロジェクトである３ＧＰＰ（3rd Generation Partnership Project）では、Ｅ−ＵＴＲＡ（Evolved-Universal Terrestrial Radio Access）の標準化が行われている。
【０００３】
Ｅ−ＵＴＲＡにおいて、無線基地局は、無線端末から、上り制御チャネル（ＰＵＣＣＨ: Physical Uplink Control Channel）を介して、チャネル品質情報（ＣＱＩ: Channel Quality Information）や、肯定応答（ＡＣＫ: ACKnowledgement）/否定応答（ＮＡＣＫ: Negative ACKnowledgment）等の制御情報を受信する（非特許文献１参照）。
【０００４】
ここで、ＣＱＩとは、無線端末が測定した受信品質（例えばＳＩＮＲ）を示す制御情報である。ＡＣＫとは、無線端末が受信したデータの復号成功を示す制御情報、ＮＡＣＫとは、無線端末が受信したデータの復号失敗を示す制御情報である。以下においては、「ＡＣＫ又はＮＡＣＫ」を適宜「Ａ／Ｎ」と表記する。Ａ／Ｎは、データの再送制御（具体的には、レイヤ２での再送制御）に用いられる。
【０００５】
無線端末は、ＰＵＣＣＨにおいて、ＣＱＩの送信とＡ／Ｎの送信とが同一サブフレーム内で競合した場合に、当該サブフレーム内の参照信号にＡ／Ｎを多重して送信する。参照信号とは、無線基地局が無線端末との間のチャネル特性を推定するための信号系列である。無線基地局は、参照信号に多重されているＡ／Ｎを検出し、検出結果に応じて参照信号からＡ／Ｎを除去し、Ａ／Ｎが除去された参照信号を用いてチャネル推定を行う。推定されたチャネル特性は、当該サブフレーム内のＣＱＩの復調に用いられる。
【先行技術文献】
【非特許文献】
【０００６】
【非特許文献１】3GPP, TS36.211, v8.6.0, “Evolved Universal Terrestrial Radio Access (E-UTRA); Physical Channels and Modulation(Release 8)
【発明の概要】
【発明が解決しようとする課題】
【０００７】
ところで、参照信号に多重されているＡ／Ｎを検出する際に、ＮＡＣＫをＡＣＫと誤って検出した場合には、本来行うべきはずのレイヤ２での再送が行われない。その結果、レイヤ２よりも上位のレイヤでの再送が発生し、大きな遅延が生じてしまう。このような大きな遅延の発生を抑制するためには、ＡＣＫの誤検出率よりも、ＮＡＣＫの誤検出率が低くなる検出基準を用いて、より正確にＮＡＣＫを検出する必要がある。
【０００８】
しかしながら、ＡＣＫの誤検出率よりもＮＡＣＫの誤検出率が低くなる検出基準を用いると、ＡＣＫの誤検出率が相対的に高くなる。よって、ＡＣＫの発生率がＮＡＣＫの発生率よりも高いようなケースにおいては、ＡＣＫの誤検出率が高いとＡＣＫ及びＮＡＣＫを併せた誤検出が多くなる。そのような誤検出が多い状況下では、参照信号からＡ／Ｎを除去する処理が誤る確率が増加して、チャネル推定の精度が低下する。チャネル推定の精度が低下すると、ＣＱＩの復調性能も低下するという問題がある。
【０００９】
そこで、本発明は、上位レイヤでの再送による遅延の発生を抑制しつつ、ＣＱＩの復調性能を維持できる無線通信装置及び無線通信方法を提供することを目的とする。
【課題を解決するための手段】
【００１０】
上述した課題を解決するために、本発明は以下のような特徴を有している。まず、本発明の第１の特徴は、無線通信相手（例えば、無線端末２００）が受信したデータの復号成功を示す肯定応答（ＡＣＫ）又は復号失敗を示す否定応答（ＮＡＣＫ）が多重された参照信号を前記無線通信相手から受信する無線通信装置（例えば、無線基地局１００）であって、前記肯定応答の誤検出率よりも前記否定応答の誤検出率が低くなるように設定された第１の検出基準（検出基準１）を用いて、前記参照信号に多重されている前記肯定応答又は前記否定応答を検出する第１の検出部（Ａ／Ｎ検出部１２１）と、前記肯定応答の誤検出率と前記否定応答の誤検出率との相対関係が前記第１の検出基準とは異なるように設定された第２の検出基準（検出基準２）を用いて、前記参照信号に多重されている前記肯定応答又は前記否定応答を検出する第２の検出部（Ａ／Ｎ検出部１２３）と、前記第１の検出部による検出結果に応じて、前記無線通信相手へのデータの再送制御を行う再送制御部（送信／再送制御部１２２）と、前記第２の検出部による検出結果に応じて前記肯定応答又は前記否定応答が除去された前記参照信号を用いて、前記無線通信相手との間のチャネル特性（例えば、チャネル応答）を推定するチャネル推定部（チャネル推定部１２４）とを備えることを要旨とする。
【００１１】
このような無線通信装置によれば、再送制御用に肯定応答／否定応答（Ａ／Ｎ）を検出する第１の検出部と、チャネル推定用にＡ／Ｎを検出する第２の検出部とを有する。
【００１２】
第１の検出部は、ＡＣＫの誤検出率よりもＮＡＣＫの誤検出率が低くなるように設定された第１の検出基準を用いてＡ／Ｎを検出するため、より正確にＮＡＣＫを検出できる。これにより、レイヤ２よりも上位のレイヤでの再送の発生を抑制できる。
【００１３】
第２の検出部は、肯定応答の誤検出率と否定応答の誤検出率との相対関係が第１の検出基準とは異なるように設定された第２の検出基準を用いてＡ／Ｎを検出するため、第１の検出基準のようなＡＣＫの誤検出率の増加を回避できる。よって、チャネル推定の精度が低下せず、ＣＱＩの復調性能を維持できる。
【００１４】
従って、第１の特徴係る無線通信装置は、上位レイヤでの再送による遅延の発生を抑制しつつ、ＣＱＩの復調性能を維持できる。
【００１５】
本発明の第２の特徴は、本発明の第１の特徴に係り、前記第２の検出基準は、前記肯定応答の誤検出率と前記否定応答の誤検出率とが等しくなるように設定されることを要旨とする。
【００１６】
本発明の第３の特徴は、本発明の第１の特徴に係り、前記第２の検出基準において、前記肯定応答の誤検出率と前記否定応答の誤検出率との相対関係は、前記肯定応答及び前記否定応答それぞれの発生率に応じて定められることを要旨とする。
【００１７】
本発明の第４の特徴は、本発明の第３の特徴に係り、前記肯定応答の発生率が前記否定応答の発生率よりも高い場合、前記第２の検出基準は、前記否定応答の誤検出率よりも前記肯定応答の誤検出率が低くなるように設定されることを要旨とする。
【００１８】
本発明の第５の特徴は、本発明の第３又は第４の特徴に係り、前記無線通信相手がデータの復号に失敗する確率（例えば、パケット誤り率）が規定値（例えば、１０％）になるように前記無線通信相手へのデータの送信を制御する送信制御部（送信／再送制御部１２２）をさらに備え、前記肯定応答及び前記否定応答それぞれの発生率は、前記規定値に応じて定められることを要旨とする。
【００１９】
本発明の第６の特徴は、無線通信相手が受信したデータの復号成功を示す肯定応答又は復号失敗を示す否定応答が多重された参照信号を前記無線通信相手から受信するステップ（ステップＳ１０１）と、前記肯定応答の誤検出率よりも前記否定応答の誤検出率が低くなるように設定された第１の検出基準を用いて、前記参照信号に多重されている前記肯定応答又は前記否定応答を検出するステップ（ステップＳ１０２）と、前記肯定応答の誤検出率と前記否定応答の誤検出率との相対関係が前記第１の検出基準とは異なるように設定された第２の検出基準を用いて、前記参照信号に多重されている前記肯定応答又は前記否定応答を検出するステップ（ステップＳ１０４）と、前記第１の検出基準を用いた検出の結果に応じて、前記無線通信相手へのデータの再送制御を行うステップ（ステップＳ１０３）と、前記第２の検出基準を用いた検出の結果に応じて前記肯定応答又は前記否定応答が除去された前記参照信号を用いて、前記無線通信相手との間のチャネル特性を推定するステップ（ステップＳ１０５）とを備える無線通信方法であることを要旨とする。
【発明の効果】
【００２０】
本発明によれば、上位レイヤでの再送による遅延の発生を抑制しつつ、ＣＱＩの復調性能を維持できる無線通信装置及び無線通信方法を提供できる。
【図面の簡単な説明】
【００２１】
【図１】本発明の実施形態に係る無線通信システムの全体概略構成図である。
【図２】Ｅ−ＵＴＲＡ上りのサブフレーム構成を示す図である。
【図３】ＰＵＣＣＨフォーマットのチャネル構成を説明するための図である。
【図４】本発明の実施形態に係る無線基地局の構成を示すブロック図である。
【図５】本発明の実施形態に係る無線基地局の動作を示すフローチャートである。
【発明を実施するための形態】
【００２２】
次に、図面を参照して、本発明の無線通信装置の実施形態である無線基地局について説明する。具体的には、（１）無線通信システムの概要、（２）無線基地局の構成、（３）検出基準１及び検出基準２、（４）無線基地局の動作、（５）作用・効果、（６）その他の実施形態について説明する。
【００２３】
以下の実施形態における図面の記載において、同一又は類似の部分には同一又は類似の符号を付している。
【００２４】
（１）無線通信システムの概要
まず、本発明の実施形態に係る無線基地局が使用される無線通信システムについて説明する。本実施形態では、当該無線通信システムは、３ＧＰＰで標準化されているＥ−ＵＴＲＡである。
【００２５】
（１．１）全体概略構成
図１は、無線通信システム１の全体概略構成図である。図１に示すように、無線通信システム１は、無線基地局１００及び無線端末２００を有する。無線端末２００は、無線基地局１００が形成するセル内に位置しており、無線基地局１００と無線通信を行う。なお、図１においては、無線端末２００が１つのみ図示されているが複数であってもよい。
【００２６】
無線基地局１００と無線端末２００との間の下りリンクには、制御情報が伝送される下り制御チャネル（ＰＤＣＣＨ: Physical Downlink Control Channel）と、ユーザデータが伝送される下り共有チャネル（ＰＤＳＣＨ: Physical Downlink Shared Channel）とが設定されている。
【００２７】
無線基地局１００と無線端末２００との間の上りリンクには、制御情報が伝送されるＰＵＣＣＨと、ユーザデータが伝送される上り共有チャネル（ＰＵＳＣＨ: Physical Uplink Shared Channel）とが設定されている。以下の実施形態の説明では、主にＰＵＣＣＨについて説明する。
【００２８】
ＰＵＳＣＨの送信方式には、カバレッジの拡大と、無線端末２００の低消費電力化の観点から、ピーク対平均電力比の小さい送信信号を生成できるＳＣ−ＦＤＭＡ(Single-Carrier- Frequency Division Multiple Access)が採用されている。ＰＵＳＣＨには、無線基地局１００と無線端末２００との間のチャネル品質に応じた適応変調符号化が適用される。なお、ＰＤＳＣＨにおいても、無線基地局１００と無線端末２００との間のチャネル品質に応じた適応変調符号化が適用される。
【００２９】
ＰＵＣＣＨの送信方式には、直交系列を用いたＣＤＭＡ（Code Division Multiple Access）が採用されている。ＰＵＣＣＨで伝送される制御情報としては、上述したＣＱＩ及びＡ／Ｎ等がある。
【００３０】
図２は、Ｅ−ＵＴＲＡ上りのサブフレーム構成を示す図である。サブフレームは２つのスロット（時間スロット）から構成されており、各スロットはセルの上り帯域幅に応じた数のリソースブロック（周波数帯域）から構成される。リソースブロック（以下、ＲＢ）は、１２サブキャリアと７ＳＣ−ＦＤＭＡシンボルから構成されている（Normal CP（Cyclic Prefix）設定の場合）。１つのＰＵＣＣＨリソースは、サブフレーム内の２つのスロットの１ＲＢずつを使用する。このとき、サブフレーム内のスロット間では、上り帯域の両端を使用する周波数ホッピングが適用される。
【００３１】
（１．２）ＰＵＣＣＨ
ＰＵＣＣＨは、複数のフォーマットをサポートしており、各フォーマットでは異なる種類の制御情報が伝送される。これらのフォーマットのうちＣＱＩ及びＡ／Ｎを同一サブフレーム内で送信可能なフォーマットは、フォーマット２a/２b（a,bはそれぞれ１,２ code wordに対応）と称される。本実施形態では、ＰＤＳＣＨにおいて空間多重が行われない１ code wordを想定し、主にフォーマット２aについて説明する。
【００３２】
図３は、ＰＵＣＣＨフォーマット２aのチャネル構成を説明するための図である。
【００３３】
ＣＱＩのビット数は、チャネル状態のレポートモードに依存することになる。ＣＱＩは、１３の基本系列（ベースシーケンス）からなるブロック符号により２０ビットに符号化される。符号化されたビット列は、スクランブルされた後にＱＰＳＫ（quadrature phase shift keying）変調され、サイクリックシフト長が１２の系列により、シンボルごとにＲＢの帯域幅に拡散される。
【００３４】
１ＰＵＣＣＨリソースあたり最大で１２の無線端末からのマルチアクセスが可能であるが、マルチアクセス干渉の低減が必要な場合は、サイクリックシフト間隔を考慮してリソースを割り当てることになる。ＰＵＣＣＨの復調用（具体的には、ＣＱＩの復調用）の参照信号１，２も同様にサイクリックシフト系列が適用され、各ＲＢの２,６シンボル目に配置される。
【００３５】
Ａ／Ｎは、１ビットの情報であり、ＢＰＳＫ（Binary Phase Shift Keying）変調され、図３の破線部で示すように、２つ目の参照信号２に多重される。
【００３６】
（２）無線基地局の構成
次に、無線基地局１００の構成について説明する。図４は、無線基地局１００の構成を示すブロック図である。図４に示すように、無線基地局１００は、アンテナＡＮＴ、送受信部１１０、制御部１２０、記憶部１３０、及び有線通信部１４０を有する。
【００３７】
送受信部１１０は、例えば無線周波数（ＲＦ）回路やベースバンド（ＢＢ）回路等を用いて構成され、アンテナＡＮＴを介して無線信号を送受信する。送受信部１１０には、無線端末２００とのＳＩＭＯ（Single Input Multiple Output）若しくはＭＩＭＯ（Multiple Input Multiple Output）通信を実行するための複数のアンテナＡＮＴが接続されている。
【００３８】
送受信部１１０は、アンテナＡＮＴが受信した信号の増幅及びダウンコンバート等を行う受信部１１１と、送信する信号の増幅及びアップコンバート等を行う送信部１１２とを有する。受信部１１１は、アンテナＡＮＴで受信された信号に対して、ＰＵＣＣＨの復調処理を行うために必要な受信処理を行う。受信部１１１は、ＰＵＣＣＨを介して、Ａ／Ｎが多重された参照信号と、ＣＱＩとを受信する。
【００３９】
制御部１２０は、例えばＣＰＵを用いて構成され、無線基地局１００が具備する各種機能を制御する。記憶部１３０は、例えばメモリを用いて構成され、無線基地局１００における制御などに用いられる各種情報を記憶する。有線通信部１４０は、バックホールネットワークを介して他のネットワーク機器との有線通信を実行する。
【００４０】
制御部１２０は、Ａ／Ｎ検出部１２１、送信／再送制御部１２２、Ａ／Ｎ検出部１２３、チャネル推定部１２４、及びＣＱＩ復調部１２５を有する。本実施形態においてＡ／Ｎ検出部１２１は第１の検出部に相当する。Ａ／Ｎ検出部１２３は第２の検出部に相当する。送信／再送制御部１２２は、再送制御部及び送信制御部に相当する。
【００４１】
Ａ／Ｎ検出部１２１は、ＡＣＫの誤検出率よりもＮＡＣＫの誤検出率が低くなるように設定された検出基準１を用いて、受信部１１１がＰＵＣＣＨを介して受信した参照信号に多重されているＡ／Ｎを検出する。検出基準１の詳細については後述する。
【００４２】
送信／再送制御部１２２は、Ａ／Ｎ検出部１２１による検出結果に応じて、無線端末２００へのデータの再送制御を行う。例えば、送信／再送制御部１２２は、Ａ／Ｎ検出部１２１によってＮＡＣＫが検出された場合にはＮＡＣＫに対応するデータの再送を行い、Ａ／Ｎ検出部１２１によってＡＣＫが検出された場合には再送を行わない。
【００４３】
また、送信／再送制御部１２２は、無線端末２００がデータの復号に失敗する確率（例えば、パケット誤り率）が規定値（例えば、１０％）になるように無線端末２００へのデータの送信を制御してもよい。具体的には、送信／再送制御部１２２は、ＣＱＩ等に基づいて、無線端末２００へ送信するデータの変調方式及び符号化率を動的に切り替える適応変調符号化を行うことにより、パケット誤り率を規定値に維持する。
【００４４】
Ａ／Ｎ検出部１２３は、ＡＣＫの誤検出率とＮＡＣＫの誤検出率との相対関係が検出基準１とは異なるように設定された検出基準２を用いて、受信部１１１がＰＵＣＣＨを介して受信した参照信号に多重されているＡ／Ｎを検出する。
【００４５】
検出基準２は、ＡＣＫの誤検出率とＮＡＣＫの誤検出率とが等しくなるように設定されてもよく、パケット誤り率の規定値に応じて設定されていてもよい。ＡＣＫの発生率及びＮＡＣＫの発生率が不定のケースでは、ＡＣＫの誤検出率とＮＡＣＫの誤検出率とが等しくなるように検出基準２が設定されることが好ましい。パケット誤り率が規定値になるように適応変調符号化が行われるケースでは、ＡＣＫの発生率及びＮＡＣＫの発生率が固定的であるため、パケット誤り率の規定値に応じて検出基準２が設定されることが好ましい。パケット誤り率の規定値に応じて検出基準２が設定される場合の詳細については後述する。
【００４６】
チャネル推定部１２４は、Ａ／Ｎ検出部１２３による検出結果に応じてＡ／Ｎが除去された参照信号を用いて、無線端末２００との間のチャネル特性（具体的には、上りリンクのチャネル応答）を推定する。ここでＡ／Ｎの除去とは、参照信号の位相がＡ／Ｎに応じて変調されていることから、参照信号の位相を元に戻す処理を意味する。Ａ／Ｎを除去する主体は、Ａ／Ｎ検出部１２３でもよく、チャネル推定部１２４でもよい。
【００４７】
ＣＱＩ復調部１２５は、チャネル推定部１２４で推定されたチャネル応答を用いて、受信部１１１がＰＵＣＣＨを介して受信したＣＱＩの復調処理を行う。復調処理により得られたＣＱＩは、送信／再送制御部１２２での適応変調符号化に使用されたり、無線端末２００への無線リソースの割り当て処理（スケジューリング）に使用されたりする。
【００４８】
（３）検出基準１及び検出基準２
次に、検出基準１及び検出基準２の具体例について説明する。ここでは、下りリンクのパケット誤り率が規定値になるように適応変調符号化が行われるケースを例示する。
【００４９】
（３．１）検出基準１
再送制御用のＡ／Ｎ検出部１２１での検出基準１は、上位レイヤでの再送による遅延の発生を抑制するために、ＡＣＫの誤検出率よりもＮＡＣＫの誤検出率が低くなるように設定される。一例として、検出基準１は、所要の受信ＳＩＮＲに対して、ＡＣＫの誤検出率が１％、ＮＡＣＫの誤検出が０.０１％になるように設定される。
【００５０】
例えば、リソースブロック内のチャネル応答が一定とみなせるようなチャネル環境において、符号系列による逆拡散後の１つ目の参照信号１（図３参照）は、式（１）で表される。
【００５１】
【数１】
2011097364.tif 000003
【００５２】
ここで、ｈｍは無線端末２００と無線基地局１００との間のチャネル応答、ｎ１はノイズである。
【００５３】
一方、２つ目の参照信号２（図３参照）にはＡ／Ｎの情報が多重されているため、式（２）で表される。
【００５４】
【数２】
2011097364.tif 000004
【００５５】
ここで、ｎ２はノイズ、ｓは送信されるＡ／Ｎの情報に基づいてＢＰＳＫ変調された信号である。
【００５６】
２つの参照信号１，２のチャネル推定値を加算平均することで、ノイズが抑圧され、チャネル推定精度を改善できると期待できるが、同相で加算するためには、ｓを先に検出する必要がある。
【００５７】
Ａ／Ｎ検出部１２１における検出方法の例について説明する。まず、Ａ／Ｎ検出部１２１は、２つの受信参照信号をそのまま加算した電力をｙ１、逆相で加算した電力をｙ２として式（３）のように計算する。
【００５８】
【数３】
2011097364.tif 000005
【００５９】
ｙ１のほうが大きければＡＣＫ（Ｓ＝−１）、ｙ２のほうが大きければＮＡＣＫ（Ｓ＝１）が送られたと判定できる。
【００６０】
ここで、ＡＣＫが送られた場合（Ｓ＝−１）を考えると、ｙ１及びｙ２の期待値は、式（４）で表される。
【００６１】
【数４】
2011097364.tif 000006
【００６２】
一方、ＮＡＣＫが送られた場合（Ｓ＝１）を考えても、ｙ１及びｙ２の期待値が入れ替わるのみであり、ＡＣＫの誤検出率とＮＡＣＫの誤検出率とは等しくなる。
【００６３】
そこで、所要の受信ＳＩＮＲにおいて、ＡＣＫの誤検出率が１％、ＮＡＣＫの誤検出が０.０１％になるように、式（５）のように補正係数α１をｙ１に乗算する。
【００６４】
【数５】
2011097364.tif 000007
【００６５】
１より大きい適切なα１を設定することにより、ＮＡＣＫの誤検出率が下がり、所望の特性が得られる。
【００６６】
Ａ／Ｎ検出部１２１は、ｙ１’のほうが大きければＡＣＫ（Ｓ＝−１）、ｙ２’のほうが大きければＮＡＣＫ（Ｓ＝１）が送られたと判定する。
【００６７】
（３．２）検出基準２
チャネル推定用のＡ／Ｎ検出部１２３での検出基準２は、チャネル推定部１２４でのチャネル推定が正しく行われる確率を大きくするために、ＡＣＫ及びＮＡＣＫを併せた誤検出率が小さくなるように設定した方が良い。
【００６８】
すなわち、検出基準２において、ＡＣＫの誤検出率とＮＡＣＫの誤検出率との相対関係は、ＡＣＫ及びＮＡＣＫそれぞれの発生率に応じて定められる。ＡＣＫの発生率がＮＡＣＫの発生率よりも高い場合、検出基準２は、ＮＡＣＫの誤検出率よりもＡＣＫの誤検出率が低くなるように設定される。
【００６９】
例えば、下りリンクのパケット誤り率が１０％となるよう適応変調符号化を行っていると想定すると、無線端末２００から送られてくるＡＣＫとＮＡＣＫとの比率は、９:１となる。したがって、例えば前に述べたＡＣＫの誤検出率が１％、ＮＡＣＫの誤検出が０.０１％を満たす所要受信ＳＩＮＲにおいて、ＡＣＫの誤検出率とＮＡＣＫの誤検出率との比が１／９になるように、式（５）の補正係数α１に代えて補正係数α２を設定する。
【００７０】
そして、Ａ／Ｎ検出部１２３は、ｙ１’のほうが大きければＡＣＫ（Ｓ＝−１）、ｙ２’のほうが大きければＮＡＣＫ（Ｓ＝１）が送られたと判定する。
【００７１】
（４）無線基地局の動作
図５は、無線基地局１００の動作例を示すフローチャートである。
【００７２】
ステップＳ１０１において、受信部１１１は、ＰＵＣＣＨのフォーマット２ａにより、Ａ／Ｎが多重された参照信号と、ＣＱＩとを受信し、これらの復調に必要な受信処理を行う。
【００７３】
ステップＳ１０２において、Ａ／Ｎ検出部１２１は、検出基準１を用いて、参照信号に多重されているＡ／Ｎを検出する。例えば、Ａ／Ｎ検出部１２１は、式（３）に従ってｙ１及びｙ２を計算し、補正係数α１をｙ１に乗算し、ｙ１’とｙ２’とを比較することでＡ／Ｎを検出する。
【００７４】
ステップＳ１０３において、送信／再送制御部１２２は、Ａ／Ｎ検出部１２１による検出結果に応じて、無線端末２００へのデータの再送制御を行う。
【００７５】
一方、ステップＳ１０４において、Ａ／Ｎ検出部１２３は、検出基準２を用いて、参照信号に多重されているＡ／Ｎを検出する。例えば、Ａ／Ｎ検出部１２３は、式（３）に従ってｙ１及びｙ２を計算し、補正係数α２をｙ１に乗算し、ｙ１’とｙ２’とを比較することでＡ／Ｎを検出する。なお、処理量削減のために、ｙ１及びｙ２の計算はＡ／Ｎ検出部１２１及びＡ／Ｎ検出部１２３で共通としてもよい。
【００７６】
ステップＳ１０５において、チャネル推定部１２４は、Ａ／Ｎ検出部１２３による検出結果に応じてＡ／Ｎが除去された参照信号を用いて、無線端末２００との間の上りリンクのチャネル応答を推定する。
【００７７】
ステップＳ１０６において、ＣＱＩ復調部１２５は、チャネル推定部１２４で推定されたチャネル応答を用いて、ＣＱＩの復調処理を行う。
【００７８】
（５）作用・効果
以上説明したように、無線基地局１００は、再送制御用にＡ／Ｎを検出するＡ／Ｎ検出部１２１と、チャネル推定用にＡ／Ｎを検出するＡ／Ｎ検出部１２３とを有する。
【００７９】
Ａ／Ｎ検出部１２１は、ＡＣＫの誤検出率よりもＮＡＣＫの誤検出率が低くなるように設定された検出基準１を用いてＡ／Ｎを検出するため、より正確にＮＡＣＫを検出できる。これにより、送信／再送制御部１２２による再送制御が良好に機能し、レイヤ２よりも上位のレイヤでの再送の発生を抑制できる。
【００８０】
Ａ／Ｎ検出部１２３は、ＡＣＫの誤検出率とＮＡＣＫの誤検出率との相対関係が検出基準１とは異なるように設定された検出基準２を用いてＡ／Ｎを検出するため、検出基準１のようなＡＣＫの誤検出率の増加を回避できる。よって、チャネル推定部１２４によるチャネル推定の精度が低下せず、ＣＱＩ復調部１２５によるＣＱＩの復調性能を維持できる。
【００８１】
また、パケット誤り率が規定値（例えば１０％）になるようデータ送信制御（具体的には、適応変調符号化）が行われるケースでは、ＡＣＫ及びＮＡＣＫそれぞれの発生率は固定的である。よって、ＡＣＫ発生率及びＮＡＣＫ発生率に基づいてＡＣＫの誤検出率とＮＡＣＫの誤検出率との相対関係を設定することで、ＡＣＫ及びＮＡＣＫを併せた誤検出率を小さくすることができる。
【００８２】
本実施形態では、ＡＣＫの発生率がＮＡＣＫの発生率よりも高い場合、検出基準２は、ＮＡＣＫの誤検出率よりもＡＣＫの誤検出率が低くなるように設定される。つまり、ＮＡＣＫよりも高い確率で発生するＡＣＫを正確に検出することで、チャネル推定が誤る確率を低減でき、ＣＱＩの復調性能を改善できる。
【００８３】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８４】
例えば、上述した実施形態では、主にフォーマット２aについて説明したが、フォーマット２ｂに本発明を適用可能である。
【００８５】
また、上述した実施形態では、本発明を上り制御チャネルであるＰＵＣＣＨに適用するケースを例示したが、参照信号にＡ／Ｎが多重されるケースがあれば、下り制御チャネルであるＰＤＣＣＨに本発明を適用してもよく、データチャネルに本発明を適用してもよい。
【００８６】
さらに、上述した実施形態では、E-UTRA（3GPP Release8）に基づく無線通信システム１について説明したが、3GPP Release8を発展させたLTE Advanced等に対して本発明を適用してもよい。
【００８７】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００８８】
１…無線通信システム、１００…無線基地局、１１０…送受信部、１１１…受信部、１１２…送信部、１２０…制御部、１２１…検出部、１２２…送信／再送制御部、１２３…検出部、１２４…チャネル推定部、１２５…ＣＱＩ復調部、１３０…記憶部、１４０…有線通信部、２００…無線端末
【図１】
2011097364.tif 000008
【図２】
2011097364.tif 000009
【図３】
2011097364.tif 000010
【図４】
2011097364.tif 000011
【図５】
2011097364.tif 000012